(57)【特許請求の範囲】
【請求項１】
印刷部から排紙される印刷用紙を案内板により案内しながら搬送ベルトにより排紙トレイに向けて搬送する印刷機の排紙搬送装置において、案内板は、印刷用紙の搬送方向における全長にわたり印刷用紙の紙幅方向の中央部に対向配置された上段面板と、この上段面板の面よりも低い面で印刷用紙の紙幅方向における上段面板の両側に配設された下段面板と、これらの下段面板の両外側に配置されて印刷用紙の排紙方向及び印刷用紙の外側に向かうに従い次第に上方に傾斜されたジャンプ台とを具備し、搬送ベルトは、上段面板の両側に位置するとともにこの上段面板より高い面で印刷用紙を搬送する位置に配設され、上段面板と下段面板とには負圧発生部に連通する吸引口が印刷用紙の搬送方向における全長にわたり形成されていることを特徴とする印刷機の排紙搬送装置。
【請求項２】
ジャンプ台は、大サイズの印刷用紙の両側付近を支える位置と小サイズの印刷用紙の両側付近を支える位置との複数位置に配設されている請求項１記載の印刷機の排紙搬送装置。
【請求項３】
ジャンプ台は、下段面板との境界をなす境界線が印刷用紙の排紙方向に沿う直線であり、上縁となる外側の稜線が境界線の上流側の端部を起点として下流側に向かうに従い次第に外側に傾斜する三角形状に形成されている請求項１または２記載の印刷機の排紙搬送装置。
【請求項４】
案内板には印刷用紙から離反する凹部が形成され、この凹部内には上段面板及び下段面板に形成された吸引口とは別に、負圧発生部に接続された補助吸引口が形成されている請求項１，２または３記載の印刷機の排紙搬送装置。
【発明の詳細な説明】
【０００１】
【発明の属する技術分野】
本発明は、印刷機の排紙搬送装置に関する。
【０００２】
【従来の技術】
まず、排紙搬送装置が装備される印刷機の一例を図６に基づいて説明する。この印刷機は孔版印刷機の例で、印刷部１は、版胴２とこの版胴２に圧接されるプレスローラ３とにより形成される。版胴２は側板（図示せず）に固定されたインキパイプ４に回転自在に支持され、端部にはモータに駆動されるギヤ（図示せず）を有し、内部にはプレスローラ３の圧力を受ける位置に配置されたインキローラ５と、このインキローラ５に対して僅かの隙間を開けて対向するドクターローラ６とが回転自在に設けられ、インキローラ５とドクターローラ６との間には、インキパイプ４の下部外周に形成されたインキ供給孔４ａから供給されるインキを溜めるインキ溜め部７が形成されている。版胴２は外周面に、製版済みマスタの一端を把持するクランプ８が設けられた非開口部とそれ以外の開口部とを有し、開口部はインキを滲み出させるスクリーン（図示せず）を備えている。
【０００３】
印刷部１の上流側には、版胴２の回転運動に同期して駆動されることによって、給紙部（図示せず）により給紙される用紙を搬送するレジストローラ９が配置されている。プレスローラ３は支軸１０を中心に回動可能なローラアーム１１の自由端部に回転自在に支持され、レジストローラ９により搬送される用紙が版胴２の真下を通過した状態を用紙センサ（図示せず）が検出したときに、ローラアーム１１をカム等によって反時計方向に回動させることで、用紙を版胴２上のマスタに圧接する。これにより、版胴２内のインキがマスタから滲み出て用紙に転写される。インキが転写された印刷用紙は、エアーナイフを構成する送風機１２と鋭利な剥離爪１３とにより版胴２上のマスタから剥離され、排紙搬送装置１０１によって排紙トレイ１４に排紙される。
【０００４】
ところで、版胴２により送り出された印刷用紙は、平らな自然状態で水平方向に排紙されるのが一般的である。このような状態で排紙されると、印刷用紙は排紙トレイ１４に向けて飛翔する間に自重により前縁から垂れ下がり、さらに空気抵抗を受けて折れ曲がった状態で排紙トレイ１４に飛翔するようになる。このような場合には印刷用紙の飛翔距離にバラツキが生じ、排紙トレイ１４上に印刷用紙を整然と積み重ねることができなくなる。また、垂れ下った印刷用紙の前縁が先に排紙された排紙トレイ１４上の印刷用紙の未乾燥の画像面を擦って進むようになるため、印刷画像を崩し、印刷用紙を汚してしまうことになる。
【０００５】
そこで、特公平８−２２７１０号公報、特開昭６０−１４８８６６号公報等にも記載されているように、印刷用紙の前縁の垂れ下がりを防止し、印刷用紙を排紙トレイ１４上に整然と排紙する排紙搬送装置が提案されている。
【０００６】
図６に示す排紙搬送装置１０１も同様の目的を達成するためのもので、印刷用紙を案内する案内板１０２と、版胴２から離れた印刷用紙にさらに排紙方向への飛翔力を与える搬送ベルト１０３（図７参照）と、印刷用紙を案内板１０２及び搬送ベルト１０３側に吸引する吸引モータ１０４とを有し、印刷用紙の紙幅方向における案内板１０２の両側には印刷用紙をＵ字形に湾曲させて腰を強くすることにより印刷用紙の垂れ下がりを防止するジャンプ台１０５が形成されている。
【０００７】
図７に示すように、ジャンプ台１０５を除く案内板１０２の表面には多数の吸引口１０６が形成されている。これらの吸引口１０６はエアーダクト（図示せず）を介して吸引モータ１０４（図６参照）に接続されている。すなわち、吸引口１０６に生ずる負圧で印刷用紙を搬送ベルト１０３側に引き寄せ、搬送ベルト１０３による搬送力を高める構造になっている。図８に示すように、排紙トレイ１４は排紙される印刷用紙Ｐの位置を定めるために、サイドフェンス１４ａとエンドフェンス１４ｂとを備えている。
【０００８】
【発明が解決しようとする課題】
このよう排紙搬送装置１０１では、印刷用紙Ｐはジャンプ台１０５を通過するときに搬送ベルト１０３から徐々に離れ、斜め上方に飛翔することになるが、案内板１０２の平坦部１０２ａとジャンプ台１０５との境界線Ａ（図７参照）の位置、曲げ角度θ、曲げ高さｈは、通常使用される頻度が多い中厚の印刷用紙に合わせて設定されている。通常使用される印刷用紙は４５Ｋ〜７０Ｋの上質紙である。しかし、印刷機に用いる印刷用紙は、近来使用目的に応じて紙質、サイズとも多様化され、インキの付着量も一定ではない。これにより、図８に示すように、印刷用紙Ｐの先端の両側が垂れ下がることがある。
【０００９】
例えば、多量のインキを転写した場合、腰が弱い薄い印刷用紙Ｐは、図９（ａ）に示すように、腰が弱いことで案内板１０２の平坦部１０２ａとジャンプ台１０５の形状に倣い易くなる。これにより、吸引口１０６が形成された平坦部１０２ａに密着する面積が増加し、湾曲による腰の強さが得られにくい。これにより、印刷用紙Ｐは見掛け上の剛性が与えられなくなり前縁の両側が垂れ下がり易い。
【００１０】
また、中厚以上の厚紙の印刷用紙Ｐの場合は、図９（ｂ）に示すように、腰が強く湾曲しにくいために両側がジャンプ台１０５の形状に倣いにくくなり、ジャンプ台１０５が印刷用紙Ｐの排紙推力を減少させる抵抗物となってしまう。さらに、印刷用紙Ｐの両側がジャンプ台１０５により持ち上げられると中央部も浮いてしまうため、印刷用紙Ｐに搬送ベルト１０３から十分な搬送力を与えることができない。これにより、印刷用紙Ｐの飛翔距離が落ちてしまう。なお、図９は排紙方向下流側から見た排紙搬送装置１０１の正面図である。
【００１１】
図示しないが、特公平８−２２７１０号公報では、図７に示すジャンプ台１０５に相当する側部突起ガイドと中央突起ガイドとを有し、側部突起ガイドと中央突起ガイドとの間、及び中央突起ガイドに空気吸込口を形成し、印刷用紙を両側だけでなく中央部も含めてＷ字形に曲げるようにし、これにより、印刷用紙に十分な腰の強さを与えることが記載されているが、中央突起ガイドが排紙方向の終端部に設けられているので、通常の使用される中厚の印刷用紙の場合には問題がないとしても、剛性の高い厚紙を用いた場合には曲がりにくいために、真っ直ぐに排紙される印刷用紙の前縁が当接し、中央突起ガイドが厚紙に対して抵抗となり、搬送力が減衰されるおそれがある。搬送力が減衰すると飛翔距離が短くなるため、排紙トレイ１４上に印刷用紙を整然と積層することができなくなる。
【００１２】
さらに、図１０及び図１１を参照し、ジャンプ台１０５の曲げ角度θ、曲げ高さｈによる影響について説明する。図１０はジャンプ台１０５の曲げ角度θ、曲げ高さｈが小さい場合を示すもので、（ａ）は平面図、（ｂ）は正面図である。図１１はジャンプ台１０５の曲げ角度θ、曲げ高さｈが大きい場合を示すもので、（ａ）は平面図、（ｂ）は正面図である。
【００１３】
図１０に示すように、ジャンプ台１０５の曲げ角度θ、曲げ高さｈを厚紙の印刷用紙に合わせて小さくすると、薄く腰の弱い印刷用紙は曲げられる度合いが少ないために、必要な見掛け上の剛性を付与することができない。これにより、垂れ下がりを防止することが難しい。図１１に示すように、ジャンプ台１０５の曲げ角度θ、曲げ高さｈを薄い印刷用紙に合わせて大きくすると、前述のように厚紙の印刷用紙を用いた場合に、その印刷用紙がジャンプ台１０５を乗り越えにくくなる。すなわち、搬送力が減衰してしまう。
【００１４】
さらに、図１２及び図１３を参照し、案内板１０２の平坦部１０２ａとジャンプ台１０５との境界線Ａの位置が異なる場合の影響について説明する。図１２は境界線Ａが中央寄りに位置する場合を示すもので、（ａ）は平面図、（ｂ）は正面図である。図１３は境界線Ａが外側寄りに位置する場合を示すもので、（ａ）は平面図、（ｂ）は正面図である。
【００１５】
図１２に示すように、境界線Ａが中央寄りに位置する場合は、小サイズの印刷用紙ＰＳの両側をジャンプ台１０５で持ち上げるには都合がよいが、大サイズの印刷用紙ＰＬの場合は、ジャンプ台１０５に支えられる面積が多く、吸引口１０６のある平坦部１０２ａに接触する面積が少なくなるので、負圧により平坦部１０２ａの全面に密着させることが難しい。これにより、大サイズの印刷用紙は湾曲させにくくなり、見掛け上の剛性を高くすることができにくくなる。
【００１６】
逆に、図１３に示すように、大サイズの印刷用紙に合わせて境界線Ａを外側に寄せると、小サイズの印刷用紙がジャンプ台１０５にかからなくなるため、印刷用紙を湾曲させることができない。この結果、小サイズの印刷用紙の見掛け上の剛性を強くする機能が失われる。
【００１７】
本発明は、印刷用紙の紙質やサイズが変化しても、印刷用紙の垂れ下がりを防止することができるようにすることである。
【００１８】
【課題を解決するための手段】
請求項１記載の発明は、印刷部から排紙される印刷用紙を案内板により案内しながら搬送ベルトにより排紙トレイに向けて搬送する印刷機の排紙搬送装置において、案内板は、印刷用紙の搬送方向における全長にわたり印刷用紙の紙幅方向の中央部に対向配置された上段面板と、この上段面板の面よりも低い面で印刷用紙の紙幅方向における上段面板の両側に配設された下段面板と、これらの下段面板の両外側に配置されて印刷用紙の排紙方向及び印刷用紙の外側に向かうに従い次第に上方に傾斜されたジャンプ台とを具備し、搬送ベルトは、上段面板の両側に位置するとともにこの上段面板より高い面で印刷用紙を搬送する位置に配設され、上段面板と下段面板とには負圧発生部に連通する吸引口が印刷用紙の搬送方向における全長にわたり形成されている。
【００１９】
したがって、印刷用紙の中央部は上段面板の吸引口に生ずる負圧により搬送ベルトに密着され、印刷用紙の外側はジャンプ台により支えられ、印刷用紙の上段面板とジャンプ台との間の部分は吸引口に生ずる負圧により下段面板側に吸引される。したがって、薄く腰の弱い印刷用紙の場合には、中央部が突出する上段面板上の搬送ベルトに接触する部分とジャンプ台に接触する部分とを山とし下段面板に接触する部分を谷とするＷ字形の形状に湾曲されて排紙される。厚く腰の強い印刷用紙は、両側がジャンプ台に支えられたときに曲がりにくいために下段面板側に吸引されにくくても、上段面板側に吸引されて搬送ベルトに対する接触圧が高められ、且つ、下段面板の表面に対して中央部に配置された搬送ベルトの搬送面が上段面板の高さの分だけ従来より高くなるため、ジャンプ台が腰の強い印刷用紙の搬送力を減衰させる抵抗物にはならない。
【００２０】
請求項２記載の発明は、請求項１記載の発明において、ジャンプ台は、大サイズの印刷用紙の両側付近を支える位置と小サイズの印刷用紙の両側付近を支える位置との複数位置に配設されている。
【００２１】
したがって、小サイズの印刷用紙は内側のジャンプ台により、大サイズの印刷用紙は内外側の複数のジャンプ台により持ち上げて湾曲させることが可能となる。
【００２２】
請求項３記載の発明は、請求項１または２記載の発明において、ジャンプ台は、下段面板との境界をなす境界線が印刷用紙の排紙方向に沿う直線であり、上縁となる外側の稜線が境界線の上流側の端部を起点として下流側に向かうに従い次第に外側に傾斜する三角形状に形成されている。
【００２３】
したがって、ジャンプ台は案内板の上流側の端部付近から下流側の端部に至る長い距離の範囲で形成されていることにより、最大立ち上り高さを得るために傾斜角を強める必要がない。これにより、印刷用紙は排紙方向に搬送される過程で徐々にジャンプ台により持ち上げられる。したがって、印刷用紙が案内板により案内されて下流側に搬送される初期の期間では印刷用紙の両側の持ち上げる高さを低くすることが可能となる。これにより、吸引口により印刷用紙を下段面板に引き込んでＷ字形に湾曲させる作用が促進される。
【００２４】
請求項４記載の発明は、請求項１，２または３記載の発明において、案内板には印刷用紙から離反する凹部が形成され、この凹部内には上段面板及び下段面板に形成された吸引口とは別に、負圧発生部に接続された補助吸引口が形成されている。
【００２５】
したがって、吸引口が印刷用紙によって塞がれた場合には外気を補助吸引口から吸引するため、負圧発生部のモータの回転特性を損なうことなく印刷用紙を吸引することが可能となる。
【００２６】
【発明の実施の形態】
本発明の実施の第一の形態を図１及び図２に基づいて説明する。図６において説明した部分と同一部分は同一符号を用い説明する。図１は排紙搬送装置の斜視図、図２は排紙方向下流側から見た排紙搬送装置の正面図である。本実施の形態における排紙搬送装置２０は、図６において説明した孔版印刷機の排紙搬送装置１０１に置き換えて装着されるものである。もちろん、他の印刷機に本実施の形態における排紙搬送装置２０を装着してもよい。
【００２７】
本実施の形態における排紙搬送装置２０は、印刷部１（図６参照）から排紙される印刷用紙Ｐを案内する案内板２１と、印刷用紙Ｐを排紙トレイ１４に搬送する搬送ベルト２２と、図２に示すように案内板２１の下方に設けられた負圧発生部（吸引モータ）２３と、この吸引モータ２３の吸込側に接続されたエアーダクト２４とにより構成されている。
【００２８】
案内板２１は、印刷用紙Ｐの搬送方向における全長にわたり印刷用紙Ｐの紙幅方向の中央部に対向配置された上段面板２５と、この上段面板２５の面よりも低い面で印刷用紙Ｐの紙幅方向における上段面板２５の両側に配設された下段面板２６と、これらの下段面板２６の両外側に配置されて印刷用紙Ｐの排紙方向及び印刷用紙Ｐの外側に向かうに従い次第に上方に傾斜されたジャンプ台２７とを具備する。
【００２９】
搬送ベルト２２は、上段面板２５の略領域内でこの上段面板２５より高い面で印刷用紙Ｐを搬送する位置に配設されている。すなわち、搬送ベルト２５の搬送面（上面）は、ベルトの厚さだけ上段面板２５の上面よりも高く、従来の例と比較すると、上段面板２５の高さの分だけ高い。そして、上段面板２５と下段面板２６とには多数の吸引口２８が形成されている。これらの吸引口２８は前述したエアーダクト２４に接続されている。なお、案内板２１の上段面板２５及び搬送ベルト２２は、その上流側の端部が図６における印刷部１から排紙される印刷用紙の排紙経路（版胴２のプレスローラ３と接する部分における接線）の下方に位置し、下流側の端部が排紙トレイ１４の上方に位置するように支持されている。
【００３０】
このような構成において、印刷された印刷用紙Ｐは版胴２とプレスローラ３とにより案内板２１上に送り出される。印刷用紙Ｐの中央部は上段面板２５の吸引口２８に生ずる負圧により搬送ベルト２２に密着されて搬送される。この搬送過程で印刷用紙Ｐの外側はジャンプ台２７により支えられ、印刷用紙Ｐの上段面板２５とジャンプ台２７との間の部分は吸引口２８に生ずる負圧により下段面板２６側に吸引される。
【００３１】
したがって、薄く腰の弱い印刷用紙Ｐの場合には、図２（ａ）に示すように、中央部が突出する上段面板２５上の搬送ベルト２２に接触する部分とジャンプ台２７に接触する部分とを山とし下段面板２６に接触する部分を谷とするＷ字形の形状に湾曲されて排紙される。このように、薄く腰の弱い印刷用紙Ｐでも、紙幅方向の外側だけでなく中央部分も含めてＷ字形に湾曲させるて排紙することができるため、見掛け上の剛性を高めることができる。これにより、印刷用紙Ｐの垂れ下がりを防止することができる。
【００３２】
また、厚く腰の強い印刷用紙Ｐは、図２（ｂ）に示すように、両側がジャンプ台２７に支えられて下段面板２６側に吸引されにくくても、上段面板２５側に吸引されて搬送ベルト２２に対する接触圧が高められ、且つ、下段面板２６と搬送ベルト２２の搬送面との高さが上段面板２５の高さの分だけ従来より高くなるため、ジャンプ台２７が腰の強い印刷用紙Ｐの搬送力を減衰させる抵抗物にはならない。これにより、腰の強い印刷用紙Ｐを一定の推力で排紙トレイ１４上に飛翔させることができる。さらに、上段面板２５は印刷部１からの排紙経路の下方に位置し、印刷用紙Ｐの搬送方向における全長にわたり案内板２１の中央に形成されているため、排紙される印刷用紙Ｐの前縁に抵抗を与えることはない。
【００３３】
次に、本発明の実施の第二の形態を図３に基づいて説明する。本実施の形態及びこれに続く他の実施の形態において、前実施の形態と同一部分は同一符号を用い説明も省略する。図３は排紙方向下流側から見た排紙搬送装置の正面図である。
【００３４】
本実施の形態における排紙搬送装置２９は、案内板２１に、大サイズの印刷用紙ＰＬの両側付近を支える位置と小サイズの印刷用紙ＰＳの両側付近を支える位置との複数位置にジャンプ台２７ａ，２７ｂを配設した他は、前実施の構成と変わりはない。
【００３５】
したがって、図３（ａ）に示すように、大サイズの印刷用紙ＰＬは外側及び内側のジャンプ台２７ａ，２７ｂにより持ち上げて湾曲させることができる。この場合、大サイズの印刷用紙ＰＬは、湾曲される個所が多くなるため、見掛け上の剛性をさらに高くすることができる。また、図３（ｂ）に示すように、小サイズの印刷用紙ＰＳは内側のジャンプ台２７ｂにより持ち上げて湾曲させることができる。すなわち、サイズが異なる印刷用紙ＰＬ，ＰＳを用いても、湾曲させて見掛け上の剛性を与えることができる。
【００３６】
次に、本発明の実施の第三の形態を図４に基づいて説明する。図４は排紙搬送装置を示す斜視図である。本実施の形態における排紙搬送装置３０は、案内板２１に形成するジャンプ台３１の形状が異なる他は、第一の実施の形態と同様である。すなわち、ジャンプ台３１は、下段面板２６との境界をなす境界線Ａが印刷用紙の排紙方向に沿う直線であり、上縁となる外側の稜線３１ａが境界線Ａの上流側の端部を起点３２として下流側に向かうに従い次第に外側に傾斜する三角形状に形成されている。さらに、下段面板２６の下流側における両側には、印刷用紙の搬送方向に沿って複数のリブ３３が一体に形成されている。さらに、境界線Ａの下流側を二俣に分岐させることにより、ジャンプ台３１の内側に位置するジャンプ台３４が形成されている。このジャンプ台３４は紙幅が狭い印刷用紙を持ち上げるためのものである。他の構成は、第一、第二の排紙搬送装置２０，２９の構成と同様である。なお、ジャンプ台３１は、上から見て案内板２１の投影面積内に形成されている。したがって、ジャンプ台３１の両側には、下段面板２６と同一面上に位置する延長面２６ａが形成されている。これらの延長面２６ａは下流側に向かうに従い左右方向の幅が次第に狭くなる三角形状である。
【００３７】
このような構成において、ジャンプ台３１は案内板２１の上流側の端部付近から下流側の端部に至る長い距離の範囲で形成されていることにより、最大立ち上り高さを得るために傾斜角を強める必要がない。これにより、印刷用紙は排紙方向に搬送される過程で徐々にジャンプ台３１により持ち上げられる。すなわち、印刷用紙が案内板２１により下流側に搬送される初期の期間では印刷用紙の両側の持ち上げる高さを低くすることが可能である。これにより、吸引口２８により印刷用紙を下段面板２６に引き込んでＷ字形に湾曲させる作用を促進することができる。換言すれば、Ｗ字形に湾曲させることができる印刷用紙の適用範囲を広げることができる。
【００３８】
これによる利点を図２を参照して説明する。薄く腰の弱い印刷用紙Ｐの場合には、図２（ａ）に示すように、印刷用紙Ｐの下段面板２６と対向する部分をこの下段面板２６に接触させてＷ字形の形状に湾曲することで印刷用紙Ｐの垂れ下がりを防止した。また、厚く腰の強い印刷用紙Ｐは、図２（ｂ）に示すように、両側がジャンプ台２７に支えられて下段面板２６側に吸引されにくくても、上段面板２５側に吸引されて搬送ベルト２２に対する接触圧を高められ、且つ、下段面板２６と搬送ベルト２２の搬送面との高さが上段面板２５の高さの分だけ従来より高くなるため、ジャンプ台２７が腰の強い印刷用紙Ｐの搬送力を減衰させる抵抗物にはならないことを説明した。
【００３９】
すなわち、図２で示した例は、薄く腰の弱い印刷用紙Ｐと、厚紙で腰の強い印刷用紙Ｐとに印刷用紙を大きく分類し、図２（ａ）または（ｂ）の状態で垂れ下がりを防止することは可能であるが、両者の中間となる中厚の印刷用紙（通常使用される頻度の高い印刷用紙）については、図２（ａ）（ｂ）の何れかの方法で見掛け上の剛性を与えることになる。
【００４０】
しかし、本実施の形態においては、印刷部１から排紙された印刷用紙が、搬送ベルト２２の上流側で支えられたときに下段面板２６に垂れ下がる程度の腰の強さの中厚紙であれば、積極的に下段面板２６側に吸引し、薄紙の印刷用紙と同様にＷ字形に湾曲して見掛け上の剛性を高めようとするものである。これにより、上段面板２５と下段面板２６との二段構成の案内板２１による効果、すなわち、印刷用紙ＰをＷ字形に湾曲させるという効果をさらに促進することができる。
【００４１】
ところで、Ｂ５サイズの印刷用紙を横長の向きにして排紙する場合、印刷用紙の搬送方向の長さは非常に短くなる。このような場合には、印刷用紙は先端が案内板２１の上に届いたときには後端が印刷部から離れ、左右方向に対する自由度が増した状態で排紙トレイに向けて飛翔することになる。この飛翔状態では印刷用紙は両側が排紙トレイのサイドフェンスにより規制されないことがあるため、排紙トレイ上に整然と積層することができない場合がある。
【００４２】
しかし、本実施の形態によれば、排紙期間の初期では印刷用紙を下段面板２６に吸引し、印刷用紙の両側をジャンプ台３１により徐々に持ち上げて最適な飛翔角度で飛翔させることができ、また、ジャンプ台３１は傾斜角度を大きくしなくても徐々に印刷用紙の両側を所望の高さに持ち上げることができるため、厚紙の場合にもジャンプ台３１により印刷用紙に与える抵抗を小さくして印刷用紙を最適な飛翔角度で飛翔させることができる。これにより、薄紙から厚紙までの広い範囲で印刷用紙の飛翔角度を最適に保つことができるため、印刷用紙の左右方向の動きを規制し、排紙トレイの上に整然と積層することができる。
【００４３】
なお、一般に、搬送される印刷用紙を案内する案内板を合成樹脂により形成する場合には、印刷用紙との摩擦により静電気が発生するが、本実施の形態によれば、案内板２１にリブ３３を形成したことにより印刷用紙との接触面積を少なくし、これに伴い静電気の発生を抑制することができる。したがって、案内板２１とエアーダクト２４（図２参照）とを合成樹脂により一体に形成することができる。
【００４４】
次に、本発明の実施の第四の形態を図５に基づいて説明する。図５は排紙搬送装置の縦断正面図である。本実施の形態における排紙搬送装置３５の構成は、図３により説明した第二の実施の形態と基本的に同一であるので、異なる部分についてのみ説明する。
【００４５】
本実施の形態では、案内板２１には搬送ベルト２２を納める凹部３６が形成され、これらの凹部３６内には上段面板２５及び下段面板２６に形成された吸引口２８とは別に、エアーダクト２４（図３参照）を介して負圧発生部２３（図３参照）に接続された補助吸引口３７が形成されている。これらの補助吸引口３７の開口径は吸引口２８の開口径よりも大きな寸法に定められている。
【００４６】
このような構成において、吸引口２８が印刷用紙Ｐで塞がれた場合には外気を補助吸引口３７から吸引することができる。これにより、負圧発生部２３のモータの回転特性を損なうことなく印刷用紙Ｐを下段面板２６に吸引することができる。これにより、上段面板２５と下段面板２６との二段構成の案内板２１による効果、すなわち、印刷用紙ＰをＷ字形に湾曲させるという効果をさらに促進することができる。
【００４７】
【発明の効果】
請求項１記載の発明は、印刷部から排紙される印刷用紙を案内する案内板は、印刷用紙の搬送方向における全長にわたり印刷用紙の紙幅方向の中央部に対向配置された上段面板と、この上段面板の面よりも低い面で上段面板の両側に配設された下段面板と、これらの下段面板の両外側に配置されたジャンプ台とを具備し、印刷用紙を搬送する搬送ベルトは、上段面板の両側に位置するとともにこの上段面板より高い面で印刷用紙を搬送する位置に配設され、上段面板と下段面板とには負圧発生部に連通する吸引口が印刷用紙の搬送方向における全長にわたり形成されているので、印刷用紙の中央部を上段面板の吸引口に生ずる負圧により搬送ベルトに密着させ、印刷用紙の外側をジャンプ台により支え、印刷用紙の上段面板とジャンプ台との間の部分を吸引口に生ずる負圧により下段面板側に吸引することができる。したがって、薄く腰の弱い印刷用紙の場合でも、中央部が突出する上段面板上の搬送ベルトに接触する部分とジャンプ台に接触する部分とを山とし下段面板に接触する部分を谷とするＷ字形の形状に湾曲して見掛け上の剛性を高め、印刷用紙の垂れ下がりを防止することができる。厚く腰の強い印刷用紙の場合は、両側がジャンプ台に支えられて下段面板側に密着しにくくても、上段面板側に吸引して搬送ベルトに対する接触圧を高めることができ、且つ、下段面板の表面に対して中央部に配置された搬送ベルトの搬送面が上段面板の高さの分だけ従来より高くなるため、ジャンプ台が腰の強い印刷用紙の搬送力を減衰させる抵抗物にはならない。さらに、上段面板は印刷用紙の搬送方向における全長にわたり案内板の中央に形成されているため、排紙される印刷用紙の前縁に抵抗を与えることはない。これにより、腰の強い用紙でも一定の搬送力で排紙トレイの上に飛翔させることができる。
【００４８】
請求項２記載の発明は、請求項１記載の発明において、ジャンプ台は、大サイズの印刷用紙の両側付近を支える位置と小サイズの印刷用紙の両側付近を支える位置との複数位置に配設されているので、小サイズの印刷用紙を内側のジャンプ台により、大サイズの印刷用紙は内外側の複数のジャンプ台により持ち上げて湾曲させることができるため、サイズに関係なく印刷用紙を湾曲させて見掛け上の剛性を高め、垂れ下がりを防止することができる。
【００４９】
請求項３記載の発明は、請求項１または２記載の発明において、ジャンプ台は、下段面板との境界をなす境界線が印刷用紙の排紙方向に沿う直線であり、上縁となる外側の稜線が境界線の上流側の端部を起点として下流側に向かうに従い次第に外側に傾斜する三角形状に形成されているので、ジャンプ台は最大立ち上り高さを得るために傾斜角を強める必要がなく、これにより、印刷用紙を排紙方向に搬送する過程で徐々にジャンプ台により持ち上げることができる。すなわち、印刷用紙を案内板により案内して下流側に搬送する初期の間では印刷用紙の両側の持ち上げる高さを低くすることができ、これにより、吸引口により印刷用紙を下段面板に引き込んでＷ字形に湾曲させる作用を促進することができる。これに伴い、Ｗ字形に湾曲させることができる印刷用紙の適用範囲を広げ、薄紙と厚紙との中間の印刷用紙を用いる場合でも、薄紙の印刷用紙と同様にＷ字形に湾曲させて見掛け上の剛性を高くすることができる。
【００５０】
請求項４記載の発明は、請求項１，２または３記載の発明において、案内板には印刷用紙から離反する凹部が形成され、この凹部内には上段面板及び下段面板に形成された吸引口とは別に、負圧発生部に接続された補助吸引口が形成されているので、吸引口が印刷用紙で塞がれた場合には外気を補助吸引口から吸引することができる。これにより、負圧発生部のモータの回転特性を損なうことなく印刷用紙を下段面板に吸引してＷ字形に湾曲させる作用をより一層促進することができる。
【図面の簡単な説明】
【図１】本発明の実施の第一の形態における排紙搬送装置の斜視図である。
【図２】排紙搬送装置を排紙方向下流側から見た正面図である。
【図３】本発明の実施の第二の形態における排紙搬送装置を排紙方向下流側から見た正面図である。
【図４】本発明の実施の第三の形態における排紙搬送装置を示す斜視図である。
【図５】本発明の実施の第四の形態における排紙搬送装置の縦断正面図である。
【図６】従来の排紙搬送装置を印刷機とともに示す説明図である。
【図７】従来の排紙搬送装置の斜視図である。
【図８】排紙搬送装置から排紙トレイに印刷用紙を排紙する状態を示す斜視図である。
【図９】排紙搬送装置を排紙方向下流側から見た正面図である。
【図１０】ジャンプ台の曲げ角度、曲げ高さが小さい場合を示すもので、（ａ）は平面図、（ｂ）は正面図である。
【図１１】ジャンプ台の曲げ角度、曲げ高さが大きい場合を示すもので、（ａ）は平面図、（ｂ）は正面図である。
【図１２】下段面板とジャンプ台との境界線が中央寄りに位置する場合を示すもので、（ａ）は平面図、（ｂ）は正面図である。
【図１３】下段面板とジャンプ台との境界線が外側に位置する場合を示すもので、（ａ）は平面図、（ｂ）は正面図である。
【符号の説明】
１  印刷部
１４  排紙トレイ
２０，２９，３０，３５  排紙搬送装置
２１  案内板
２２  搬送ベルト
２３  負圧発生部
２５  上段面板
２６  下段面板
２７，２７ａ，２７ｂ，３１，３４  ジャンプ台
２８  吸引口
３１ａ  稜線
３２  起点
３６  凹部
３７  補助吸引口
Ａ  境界線
Ｐ，ＰＬ，ＰＳ  印刷用紙
【図１】
0003949813.tif 000002
【図２】
0003949813.tif 000003
【図３】
0003949813.tif 000004
【図４】
0003949813.tif 000005
【図５】
0003949813.tif 000006
【図６】
0003949813.tif 000007
【図７】
0003949813.tif 000008
【図８】
0003949813.tif 000009
【図９】
0003949813.tif 000010
【図１０】
0003949813.tif 000011
【図１１】
0003949813.tif 000012
【図１２】
0003949813.tif 000013
【図１３】
0003949813.tif 000014